(57)【要約】【課題】  バッグ本体の内部に保持した収納容器を容易に出し入れすることができると共に、製造コストを低く抑えることができるバッグを提供する。【解決手段】  内方に収納容器を保持しうるように形成されたバッグであって、上記バッグは、略直方体形状に形成され、底面部と、上記底面部から上方へ延設された側縁部と、開口部とを有し、上記開口部は、上記バッグの長さ方向に沿って設けられるとともに、上記バッグの長さ方向各端部において、上記底面部に向かって下方に延設され、上記開口部を閉止しうるように形成された閉止手段とが設けられている。上記バッグは、幅方向に向かって二分割して開口するように形成され、上記閉止手段は、スライドファスナーにより形成されている。【選択図】  図２
0003124900.tif 000002
【実用新案登録請求の範囲】
【請求項１】
内方に収納容器を保持しうるように形成されたバッグであって、
上記バッグは、略直方体形状に形成され、底面部と、上記底面部から上方へ延設された側縁部と、開口部とを有し、
上記開口部は、上記バッグの長さ方向に沿って設けられるとともに、上記バッグの長さ方向各端部において、上記底面部に向かって下方に延設され、
上記開口部を閉止しうるように形成された閉止手段とが設けられていることを特徴とするバッグ。
【請求項２】
上記バッグは、幅方向に向かって二分割して開口するように形成され、
上記閉止手段は、スライドファスナーにより形成されていることを特徴とする請求項１記載のバッグ。
【請求項３】
上記収納容器は、収納部が複数に区画され、画材道具を収納したり、水を注ぎ入れて筆洗用バケツとして使用しうるように形成されていることを特徴とする請求項１又は２記載のバッグ。
【請求項４】
上記バッグは、上面部の上に他のバッグが積み重ねられても、ほぼ同一形状を維持しうる程度の剛性を有するように形成されていることを特徴とする請求項１、２又は３記載のバッグ。
【考案の詳細な説明】
【技術分野】
【０００１】
本考案はバッグ、特に、内部に収納容器を保持しうるように形成されたバッグに関する。
【背景技術】
【０００２】
屋外で写生をする場合などに、画材道具を持ち運ぶためのバッグが必要であるが、従来、画材道具を収納したり、筆洗用のバケツとして使用しうるように形成された収納容器を内部に収納可能に形成されたバッグが各種提案されている（例えば特許文献１参照）。
【０００３】
上記のように内部に収納容器を保持したバッグは、その収納容器を使用する度にバッグ本体に対し頻繁に出し入れする必要がある。
そのため、収納容器を収納するためのバッグの開口部は、開口しやすいことが必要とされ、上記特許文献１所載のバッグにおいては、開口部の開口縁を押し広げるための付勢手段としてのコイルスプリングが開口縁に沿って配置されている。
【特許文献１】特開２００４−１２９７３４号公報
【考案の開示】
【考案が解決しようとする課題】
【０００４】
上記特許文献１所載のバッグに設けられている開口部は、上記バッグの長さ方向に沿ってのみ形成されているため、上記開口部を開口した場合であっても、上記バッグの長さ寸法分しか開口することができなかった。
したがって、上記バッグ内に、上記バッグと略同じ長さ寸法を有する画材等の収納容器を出し入れする場合には、困難であった。
また、上記のようにコイルスプリングなどの部材をバッグに取り付ける場合は、部品点数が増え、製造工程も複雑化するので、製造コストが嵩むという不具合がある。
【０００５】
そこで本考案の課題は、バッグ本体の内部に保持した収納容器を容易に出し入れすることができると共に、製造コストを低く抑えることができるバッグを提供することにある。
【課題を解決するための手段】
【０００６】
上記課題を解決するために、本考案に係るバッグは、内方に収納容器を保持しうるように形成されたバッグであって、上記バッグは、略直方体形状に形成され、底面部と、上記底面部から上方へ延設された側縁部と、開口部とを有し、上記開口部は、上記バッグの長さ方向に沿って設けられるとともに、上記バッグの長さ方向各端部において、上記底面部に向かって下方に延設され、上記開口部を閉止しうるように形成された閉止手段とが設けられていることを特徴とする。
【０００７】
すなわち、本考案に係る上記バッグは、内方に収納容器を保持しうるように、略直方体形状に形成されている。
また、上記収納容器は使用する度にバッグから外方へ出す必要があるので、上記バッグには開口部が設けられている。
また、上記開口部は、上記収納容器を出し入れしやすいように形成される必要がある。そのため、本考案に係る上記バッグにおいては、上記開口部は、上記バッグの長さ方向に沿って設けられるとともに、上記バッグの長さ方向各端部において、上記底面部に向かって下方に延設され、開口部を拡大しやすいように形成されている。
また、上記開口部を閉止するために閉止手段が設けられている。
【０００８】
また、本考案に係る上記バッグにあっては、幅方向に向かって二分割して開口するように形成され、上記閉止手段は、スライドファスナーにより形成されている。
【０００９】
すなわち、本考案に係る上記バッグは、上記開口部を拡大しやすくして上記収納容器の出し入れを容易にするため、幅方向に向かって二分割して開口するように形成されている。
また、上記開口部の閉止を容易にするため、上記閉止手段としてスライドファスナーが採用されている。
【００１０】
また、本考案に係る上記バッグにあっては、上記収納容器は、収納部が複数に区画され、画材道具を収納したり、水を注ぎ入れて筆洗用バケツとして使用しうるように形成されている。
【００１１】
すなわち、本考案に係る上記バッグは、画材道具を収納したり、水を注ぎ入れて筆洗用バケツとして使用しうるような容器を内部に収納することを想定している。
また、上記収納容器は、種々の物品を整理して収納しうるように、収納部が複数に区画されている。
【００１２】
また、本考案に係る上記バッグにあっては、上面部の上に他のバッグが積み重ねられても、ほぼ同一形状を維持しうる程度の剛性を有するように形成されている。
【００１３】
すなわち、本考案に係る上記バッグは、例えばロッカー等の棚の上などに載置して保管する場合に、嵩張らないように積み重ねても潰れないように、ある程度の剛性を有するように形成されている。
【考案の効果】
【００１４】
請求項１記載の本考案に係るバッグは、内方に収納容器を保持しうるように形成されたバッグであって、上記バッグは、略直方体形状に形成され、底面部と、上記底面部から上方へ延設された側縁部と、開口部とを有し、上記開口部は、上記バッグの長さ方向に沿って設けられるとともに、上記バッグの長さ方向各端部において、上記底面部に向かって下方に延設され、上記開口部を閉止しうるように形成された閉止手段とが設けられていることから、
上記開口部は長さ方向のみでなく、長さ方向両端部から下方にも延設されて、全体の開口面積が拡大することになる。
また、上記開口部が長さ方向両端部から下方にも延設されることにより、上記開口部を拡大するようにバッグ本体を変形しやすくなる。
したがって、上記開口部を、上記収納容器を出し入れするのに十分な大きさに容易に拡大することができる。これにより、上記開口部から上記収納容器を容易に出し入れすることができる。
【００１５】
請求項２記載の本考案に係るバッグは、上記バッグは、幅方向に向かって二分割して開口するように形成され、上記閉止手段は、スライドファスナーにより形成されていることから、
上記スライドファスナを全開状態にすれば、上記バッグ本体は幅方向に二分割されるので、バッグ本体の幅方向の両端部位を夫々外方へ展開しやすくなり、上記開口部を容易に拡大することができる。
【００１６】
請求項３記載の本考案に係るバッグは、上記収納容器は、収納部が複数に区画され、画材道具を収納したり、水を注ぎ入れて筆洗用バケツとして使用しうるように形成されていることから、
屋外でスケッチする場合などに、スケッチに必要な用具を簡便に携帯することができる。
【００１７】
請求項４記載の本考案に係るバッグは、上面部の上に他のバッグが積み重ねられても、ほぼ同一形状を維持しうる程度の剛性を有するように形成されていることから、
例えば、ロッカーの収納棚などに収める場合に、２段重ねが可能となって、保管スペースを節約することができる。
【考案を実施するための最良の形態】
【００１８】
以下、図面を用いて本考案の実施の形態について説明する。
本実施の形態に係るバッグ１１は、図２に示すように、内方に収納容器１３を保持しうるように形成されたバッグ１１であって、上記バッグ１１は、図１に示すように、略直方体形状に形成され、底面部１４と、上記底面部１４から上方へ延設された側縁部と、開口部２３とを有し、上記開口部２３は、上記バッグの長さ方向に沿って設けられるとともに、上記バッグの長さ方向各端部において、上記底面部１４に向かって下方に延設され、上記開口部２３を閉止しうるように形成された閉止手段２４とが設けられている。
また、上記バッグ１１は、図２に示すように、幅方向に向かって二分割して開口するように形成され、上記閉止手段２４は、スライドファスナー２７により形成されている。
また、上記収納容器１３は、収納部３１，３２，３３が複数に区画され、画材道具を収納したり、水を注ぎ入れて筆洗用バケツとして使用しうるように形成されている。
また、上記バッグ１１は、図３に示すように、上面部１５の上に他のバッグが積み重ねられても、ほぼ同一形状を維持しうる程度の剛性を有するように形成されている。
【実施例１】
【００１９】
図は実施例に係るバッグ１１を示したものである。
本実施例に係るバッグ１１は、図１に示すように、バッグ本体１２が略直方体形状に形成され、上記バッグ本体１２の内部には、図２に示すように、上記バッグ本体１２と略同じサイズに形成された収納容器１３が収納されている。
【００２０】
上記バッグ本体１２は、図１に示すように、底面部１４、上面部１５、左側面部１６、右側面部１７、前側面部１８、及び後側面部１９とにより構成され、ナイロン等の柔軟性を有する素材により形成されている。
【００２１】
上記底面部１４は長方形状に形成され、上記上面部１５は上記底面部１４と同形に形成され、上記底面部１４と上記上面部１５は平行に配置されている。
【００２２】
上記左側面部１６及び右側面部１７は、夫々、縦長の長方形状に形成され、上記上面部１５の長さ方向両端部から夫々下方へ略垂直に延設されている。
上記左側面部１６及び右側面部１７の下端部は、夫々、上記底面部１４の長さ方向両端部に接続されている。
【００２３】
上記前側面部１８及び後側面部１９は、幅寸法が上記左側面部１６及び右側面部１７の長さ寸法と同一で、長さ寸法が上記上面部１５の長さ寸法と同一の長方形状に形成されている。
上記前側面部１８及び後側面部１９の上端部は、上記上面部１５の幅方向両端部に夫々接続されている。
また、上記前側面部１８及び後側面部１９の左右の側端部は、上記左側面部１６及び右側面部１７の幅方向両端部に夫々接続されている。
また、上記前側面部１８及び後側面部１９の下端部は、上記底面部１４の幅方向両端部に夫々接続されている。
【００２４】
なお、上記前側面部１８にはポケット２０が形成され、上記前側面部１８及び後側面部１９には夫々持ち手２１，２２が設けられている。
【００２５】
上記上面部１５には、図２に示すように、幅方向中央部に、長さ方向に沿って開口部２３が設けられている。    
上記開口部２３は、上記上面部１５の長さ方向両端部から下方へ延設され、上記底面部１４まで達している。
すなわち、上記開口部２３は、上記左側面部１６及び右側面部１７にも連続的に設けられ、上記左側面部１６及び右側面部１７の幅方向中央部に、長さ方向に沿って形成されている。
【００２６】
上記開口部２３には、図１に示すように、閉止手段２４が設けられている。
上記閉止手段２４にはダブルのスライダ２５，２６が備えられたスライドファスナー２７が使用されている。
【００２７】
上記バッグ本体１２の内部には、上記のように、上記収納容器１３が収納されている。
上記収納容器１３は、プラスチックを素材として、上記バッグ本体１２と略同じサイズに形成されている。
図２に示すように、上記収納容器１３は隔壁２８，２９，３０により複数の収納部３１，３２，３３，３４に区画されている。
上記各収納部３１，３２，３３，３４は、筆や絵の具等の画材道具を収納したり、筆洗用のバケツとして使用しうるように形成されている。
また、上記収納容器１３には、取っ手３５が設けられ、上記取っ手３５は上下方向に出没可能に形成されている。
【００２８】
上記バッグ１１は、上記収納容器１３を内部に保持していることにより、図３に示すように、上記上面部１５の上に他のバッグ１１が積み重ねられても、ほぼ同一形状を維持しうる程度の剛性を有している。
【００２９】
次に、上記実施例の作用について説明する。
本実施例に係るバッグ１１は、屋外でスケッチする場合などに、上記収納容器１３に画材道具を収納して携帯することができる。
スケッチする場合は、上記収納容器１３を上記バッグ本体１２から取り出し、上記収納容器１３から更に画材道具を取り出し、上記収納容器１３の上記各収納部３１，３２，３３，３４を筆洗用のバケツなどとして使用することができる。
スケッチが終了した場合は、再び画材道具を上記各収納部３１，３２，３３，３４に収納してから、上記収納容器１３を上記バッグ本体１２の内部に収納して持ち帰ることができる。
【００３０】
上記収納容器１３を上記バッグ本体１２に対し出し入れする場合は、上記上面部１５、上記左側面部１６及び上記右側面部１７に設けられた上記開口部２３を開口する。
上記開口部２３が閉止された状態では、上記スライドファスナー２７に設けられたダブルのスライダ２５，２６は、図１に示すように、上記上面部１５の略中央部に位置している。
この状態から、上記開口部２３を開口するには、上記スライダ２５，２６を上記上面部１５の略中央部から、上記左側面部１６及び右側面部１７の下端部まで移動させる。これにより、図２に示すように、上記スライドファスナー２７は全開状態となる。
【００３１】
上記のように上記スライドファスナー２７が全開状態となると、図２に示すように、上記バッグ本体１２は、上記底面部１４を除き、幅方向に二分割することができ、上記前側面部１８と上記後側面部１９は、互いに反対側の外方へ傾倒させて展開状態とすることができる。
これにより、上記開口部２３を拡大することができるので、上記収納容器１３をバッグ本体１２に対し容易に出し入れすることができる。
【００３２】
上記バッグ１１は不使用時には、図３に示すように、他のバッグ１１を上に積み重ねてロッカーの棚の上などに載置して保管することができる。その場合、上記バッグ１１は適度な剛性を有しているので潰れることがない。
【産業上の利用可能性】
【００３３】
本考案は、バッグ本体と略同じサイズの収納容器を内部に収納する必要のあるバッグに適用可能である。
【図面の簡単な説明】
【００３４】
【図１】本考案の実施例に係るバッグの開口部を閉止した状態の斜視図である。
【図２】本考案の実施例に係るバッグの開口部を開口した状態の斜視図である。
【図３】本考案の実施例に係るバッグを上下に積み重ねた状態の斜視図である。
【符号の説明】
【００３５】
１１  バッグ  
１２  バッグ本体
１３  収納容器
１４  底面部
１５  上面部
１６  左側面部
１７  右側面部
１８  前側面部
１９  後側面部
２０  ポケット
２１  持ち手
２２  持ち手
２３  開口部
２４  閉止手段
２５  スライダ
２６  スライダ
２７  スライドファスナー
２８  隔壁
２９  隔壁
３０  隔壁
３１  収納部
３２  収納部
３３  収納部
３４  収納部
３５  取っ手
【図１】
0003124900.tif 000003
【図２】
0003124900.tif 000004
【図３】
0003124900.tif 000005